(57)【特許請求の範囲】
【請求項１】
破風の内壁と軒樋の接続終端部の止り部品との隙間を塞ぐ雨垂れ防止具であって、前記止り部品に固定する固定部材と該固定部材に摺動可能に取付けるスライド部材とからなることを特徴とする雨垂れ防止具。
【請求項２】
軒樋の接続終端部に止り部品を取付け、該止り部品に挟持片をもって固定部材を固定し、該固定部材に摺動可能にスライド部材を取付けると共に、該スライド部材の側端の固定片を破風に固定することを特徴とする請求項１記載の雨垂れ防止具。
【請求項３】
破風の内壁から軒樋の接続終端部の止り部品を越えて軒樋内に延びる底板と、該底板の前縁側と後縁側に形成された立上り側片と、前記底板の側端に、前記立上り側片と連結して立上り形成された固定片とを具え、該固定片は前記破風に固定可能とした雨垂れ防止具。
【発明の詳細な説明】
【０００１】
【発明の属する技術分野】
本発明は雨垂れ防止具に係り、特に、家屋の切妻屋根構造において、破風の内壁と軒樋の接続終端部の止り部品との間から流下する雨水を受止め、雨垂れを防止する雨垂れ防止具に関するものである。
【０００２】
【従来技術とその課題】
従来、切妻屋根構造の家屋の軒樋施工においては、継手部品に軒樋を差込みつつ軒樋相互を接続固定するために、軒樋の接続終端部に取付ける止り部品の外側壁と破風の内壁との間には隙間が開いてしまい、破風の内壁に接する辺りの屋根材から流下する雨水が、上記隙間から雨垂れとなって地上に滴り落ちると云う問題があった。
しかも、上記止り部品の外側壁と破風の内壁との間の隙間は、既設雨樋の気温変動に伴なう伸縮によって一定の寸法間隔とはならないので、この隙間を常時塞ぐことは困難であった。
【０００３】
【課題を解決するための手段】
本発明は上記課題を解決するためのものであって、その要旨は、破風の内壁と軒樋の接続終端部の止り部品との隙間を塞ぐ雨垂れ防止具であって、前記止り部品に固定する固定部材と該固定部材に摺動可能に取付けるスライド部材とからなることを特徴とするものであり、また、破風の内壁から軒樋の接続終端部の止り部品を越えて軒樋内に延びる底板と、該底板の前縁側と後縁側に形成された立上り側片と、前記底板の側端に、前記立上り側片と連結して立上り形成された固定片とを具え、該固定片は前記破風に固定可能とした雨垂れ防止具である。
【０００４】
【発明の実施の形態】
以下、本発明の実施例を図面に基づき具体的に説明する。
図１は、本発明の一実施例を斜視図で示し、図２は、本発明を止り部品に取付ける状態を斜視図で示し、図３は、本発明を止り部品に取付けた状態を斜視図で示し、図４は、本発明の一実施例の使用状態を斜視図で示し、図５は、本発明の他の実施例の使用状態を斜視図で示す。
【０００５】
本発明は、図１乃至図５に斜視図で示す如く、切妻屋根Ａの破風Ｂの内壁Ｂ−１と軒樋２の接続終端部２１の止り部品３との隙間ｄを塞ぐ雨垂れ防止具１であって、前記止り部品３に固定する固定部材１１と該固定部材１１に摺動可能に取付けるスライド部材１２とからなるものであり、前記止り部品３に挟持片１１２をもって固定部材１１を固定し、該固定部材１１に摺動可能にスライド部材１２を取付けると共に、該スライド部材１２の側端の固定片１２３を破風Ｂの内壁Ｂ−１に固定することを特徴とし、また、破風Ｂの内壁Ｂ−１から軒樋の接続終端部の止り部品３を越えて軒樋２内に延びる底板１２０と、該底板１２０の前縁側と後縁側に形成された立上り側片１２２と、前記底板１２０の側端に、前記立上り側片１２２と連結して立上り形成された固定片１２３とを具え、該固定片１２３は前記破風Ｂに固定可能とした雨垂れ防止具である。
【０００６】
上記本発明によって、軒樋２の接続終端部２１に取付ける止り部品３と破風Ｂとの間には隙間ｄがなくなるので、破風Ｂの内壁Ｂ−１に接する辺りの屋根材から流下する雨水が、雨垂れとなって地上に滴り落ちると云う従来の問題が解消されると共に、気温変動に伴なって既設の軒樋２が伸縮を起こしても、上記止り部品３と破風Ｂとの間の隙間ｄを常時塞ぐことができると云う作用効果が得られる。
【０００７】
【実施例】
本発明で用いる雨垂れ防止具１は、図１乃至図４に示す例の如く、固定部材１１と該固定部材１１に摺動可能に取付けるスライド部材１２とからなり、上記固定部材１１には、摺動受け板１１１の側端から少なくとも二本の挟持片１１２を垂下形成すると共に、軒先方向の前縁側と後縁側に各々二本の抱持片１１３を立上げ形成してある。
また、上記固定部材１１に摺動可能に取付けるスライド部材１２は、摺動本体１２１の側端にビス孔１２４を有する固定片１２３を立上げ形成すると共に、軒先方向の前縁側と後縁側に立上り側片１２２を各々立上げ形成してある。
本発明の雨垂れ防止具１は、上記固定部材１１の摺動受け板１１１上に上記スライド部材１２の摺動本体１２１を乗せ、且つ、固定部材１１の抱持片１１３によりスライド部材１２の立上り側片１２２を抱持するようにして、スライド部材１２が固定部材１１上を摺動可能に取付けられている。
【０００８】
そして、図２に示す如く、上記固定部材１１の挟持片１１２を矢印方向より押し下して、軒樋２の接続終端部２１に取付けた止り部品３の側壁上端辺３１に挟着させて、雨垂れ防止具１を止り部品３に固定しておく。
次いで、図３に示す如く、止り部品３の側壁上端辺３１に固定された雨垂れ防止具１のスライド部材１２を矢印方向、即ち軒先水平方向へ引出し、図４に示す如く、スライド部材１２の固定片１２３を介し、止めビス４を締着することにより、スライド部材１２の後縁側の立上り側片１２２が水切り板５の内側に挿入する様にして、雨垂れ防止具１を破風Ｂの内壁Ｂ−１に固定することができる。
【０００９】
この様にして、破風Ｂの内壁Ｂ−１と止り部品３の外壁間の隙間ｄが塞がれる。
次に、図５の例においては、雨垂れ防止具１は、破風Ｂの内壁Ｂ−１から軒樋の接続終端部の止り部品３を越えて軒樋２内に延びる底板１２０と、該底板１２０の前縁側と後縁側に形成された立上り側片１２２と、前記底板１２０の側端に、前記立上り側片１２２と連結して立上り形成された固定片１２３とを具え、該固定片１２３は前記破風Ｂに固定可能としたものである。
そして、底板１２０を止り部品３の上端に載せ、底板１２０の後縁側の立上り側壁１２２を水切り板５の内側に挿入し、止めビス４を用いて固定片１２３を破風内壁Ｂ−１に締着するにより、雨垂れ防止具１を破風Ｂに固定することができ隙間ｄが塞がれる。
【００１０】
従来、切妻屋根Ａ構造の家屋の軒樋２の施工においては、継手部品（図示せず）に軒樋２を差込みつつ軒樋相互を接続固定していたために、必然的に軒樋２の接続終端部２１に取付ける止り部品３の外側壁と破風Ｂの内壁Ｂ−１との間には隙間ｄが開き、該隙間ｄから雨垂れが発生してしまうと云う問題があったが、上記本発明により、図４、図５に示す如く、破風Ｂの内壁Ｂ−１と止り部品３の外壁間の隙間ｄが塞がれるので、切妻屋根Ａから流下する雨水のうち、矢印で示す様に、破風の内壁に接する辺りから流下する雨水が、雨垂れ防止具１のスライド部材１２乃至底板１２０上を流れ、案内されて軒樋２内へ導入される。
従って、破風Ｂと止り部品３間の雨垂れを確実に防止することができるものである。
【００１１】
また、止り部品３の外側壁と破風Ｂの内壁Ｂ−１との間の隙間ｄは、既設軒樋２の気温の変化に伴なう伸縮によって変動するが、本発明によれば、スライド部材１２乃至底板１２０の摺動作用により隙間ｄを常時塞ぐことができるので、破風Ｂと止り部品３間の雨垂れを四季を通じ確実に防止することができる。
【００１２】
【発明の効果】
本発明は上記構成よりなるので下記効果を奏する。
即ち、本発明で、軒樋の接続終端部に取付ける止り部品と破風との間には隙間がなくなるので、破風の内壁に接する辺りの屋根材から流下する雨垂れが防止されると共に、気温変動に伴なって既設雨樋が伸縮を起こしても、上記止り部品と破風との間の隙間を常時塞ぐことができると云う作用効果が得られる。
【図面の簡単な説明】
【図１】本発明の一実施例を斜視図で示す。
【図２】本発明を止り部品に取付ける状態を斜視図で示す。
【図３】本発明を止り部品に取付けた状態を斜視図で示す。
【図４】本発明の一実施例の使用状態を斜視図で示す。
【図５】本発明の他の実施例の使用状態を斜視図で示す。
【符号の説明】
１      雨垂れ防止具
１１    固定部材
１１１  摺動受け板
１１２  挟持片
１１３  抱持片
１２    スライド部材
１２０  底板
１２１  摺動本体
１２２  立上り側片
１２３  固定片
２      軒樋
２１    接続終端部
３      止り部品
３１    側壁上端辺
４      止めビス
５      水切り板
Ａ      切妻屋根
Ｂ      破風
Ｂ−１  破風内壁
ｄ      隙間
【図１】
0003657108.tif 000002
【図２】
0003657108.tif 000003
【図３】
0003657108.tif 000004
【図４】
0003657108.tif 000005
【図５】
0003657108.tif 000006